(57)【要約】【課題】多数の光ディスクを検査する場合において、検査結果の情報と、検査結果に対応する光ディスクとを簡易に対応付けすることが可能な光ディスク検査システムを提供すること。【解決手段】光ディスクを検査して検査結果を記録する光ディスク検査システムにおいて、光ディスクを検査する検査手段（光ディスク検査装置５０）と、得られた検査結果データを取得する取得手段（パーソナルコンピュータ３０）と、光ディスクに付された識別情報を含む画像を撮像する撮像手段（撮像装置４０）と、検査結果データに対して、画像データを対応付けて格納する格納手段（パーソナルコンピュータ３０）と、検査結果データに対する閲覧要求がなされた場合には、検査結果データに対応付けされた画像データを格納手段から取得して呈示する呈示手段（サーバ装置）と、を有する。【選択図】図１
2007280476.tif 000002
【特許請求の範囲】
【請求項１】
光ディスクを検査して検査結果を記録する光ディスク検査システムにおいて、
上記光ディスクを検査する検査手段と、
上記検査手段によって得られた検査結果データを取得する取得手段と、
上記光ディスクに付された識別情報を含む画像を撮像する撮像手段と、
上記検査手段によって得られた検査結果データに対して、上記撮像手段によって撮像された画像データを対応付けて格納する格納手段と、
上記検査結果データに対する閲覧要求がなされた場合には、検査結果データに対応付けされた画像データを上記格納手段から取得して呈示する呈示手段と、
を有することを特徴とする光ディスク検査システム。
【請求項２】
前記呈示手段は、検査結果データを一覧表示するとともに、所定の検査結果データが指定された場合には、当該検査結果に対応する画像データを呈示することを特徴とする請求項１記載の光ディスク検査システム。
【請求項３】
前記取得手段によって取得された検査結果が正常であるか否かを判定する判定手段をさらに有し、
前記格納手段は、上記判定手段による判定の結果、正常であると判定された検査結果データに対応する画像データについては格納しないことを特徴とする請求項１記載の光ディスク検査システム。
【請求項４】
前記取得手段によって取得された検査結果が正常であるか否かを判定する判定手段をさらに有し、
前記撮像手段は、上記判定手段による判定の結果、正常であると判定された光ディスクについては撮像しないことを特徴とする請求項１記載の光ディスク検査システム。
【請求項５】
前記検査手段によって検査が終了した前記光ディスクを収納する収納手段をさらに有し、
上記収納手段は、前記検査手段によって正常でないと判定された光ディスクについては、それ以外の光ディスクとは分けて収納することを特徴とする請求項１記載の光ディスク検査システム。
【請求項６】
光ディスクを検査して検査結果を記録する光ディスク検査方法において、
上記光ディスクを検査し、
得られた検査結果データを取得し、
上記光ディスクに付された識別情報を含む画像を撮像し、
検査結果データに対して、撮像された画像データを対応付けて格納し、
上記検査結果データに対する閲覧要求がなされた場合には、検査結果データに対応付けされた画像データを取得して呈示する、
ことを特徴とする光ディスク検査方法。
【発明の詳細な説明】
【技術分野】
【０００１】
本発明は、光ディスク検査システムおよび光ディスク検査方法に関する。
【背景技術】
【０００２】
現在、ＤＶＤ−ＲＯＭ（Digital Versatile Disk Read Only Memory）、ＤＶＤ−Ｒ（Recordable）、ＤＶＤ−ＲＷ（Rewritable）、ＤＶＤ−ＲＡＭ（DVD-Random Access Memory）が、従来のＣＤ−ＲＯＭ（Compact Disk-ROM）、ＣＤ−Ｒ（CD-Recordable）よりもより高密度にデータを記録することが可能なメディアであること等によって、ＰＣ（パーソナルコンピュータ）や情報家電に多数用いられており、その需要が急激に増大し、生産枚数が増加している。また、今後は更に高密度なＨＤ−ＤＶＤ（High Definition-DVD）やＢｌｕ−ｒａｙ（ブルーレイ）ディスクも用いられることで光ディスクメディアの生産数は増加の一途を辿ると思われる。
【０００３】
ところで、ＤＶＤ等のいわゆる「光ディスク」を製造する際には、光ディスクの物理的特性が所望の特性を具備しているか検査するとともに、記録されている信号を正常に読み出すことができるかについて検査する必要がある。従来において、例えば、前者については、特許文献１に示す技術が開示されており、また、後者については、特許文献２に示すような技術が開示されている。
【０００４】
【特許文献１】特開平０１−２１９６０６号公報（要約、請求の範囲）
【０００５】
【特許文献２】特開２００３−１５１１２９号公報（要約、請求の範囲）
【発明の開示】
【発明が解決しようとする課題】
【０００６】
ところで、特許文献１および特許文献２を含む従来の技術によって多数の光ディスクを連続的に検査する場合、まず、光ディスクに印刷等されている製造番号等のシリアル番号を管理者が肉眼で読み取って、検査の管理を行うためのコンピュータ（以下、「管理コンピュータ」）のキーボード等を操作することによって登録する。そして、検査の結果としてエラーが発生した場合には、エラーが発生した光ディスクに関する情報を管理コンピュータによって確認するとともに、登録されているシリアル番号を参照することにより、エラーが発生した光ディスクを特定する。
【０００７】
しかしながら、このような従来の方法では、光ディスクに印刷等されているシリアル番号を管理者が肉眼で読み取って、管理コンピュータに登録する必要があることから、操作が煩雑であるという問題点がある。
【０００８】
そこで、シリアル番号等をＯＣＲ（Optical Character Reader）等によって文字コードに変換して管理コンピュータに読み込む方法も考えられるが、このような方法では、ある一定の頻度で読み取りエラーまたは変換エラーが生じるため、読み取られた文字の再度のチェックが必要になるという問題点がある。
【０００９】
本発明は、上記の事情に基づきなされたもので、その目的とするところは、多数の光ディスクを検査する場合において、検査結果の情報と、当該検査結果に対応する光ディスクとを簡易に対応付けすることが可能な光ディスク検査システムおよび光ディスク検査方法を提供することである。
【課題を解決するための手段】
【００１０】
上述の目的を達成するため、本発明の光ディスク検査システムは、光ディスクを検査して検査結果を記録する光ディスク検査システムにおいて、光ディスクを検査する検査手段と、検査手段によって得られた検査結果データを取得する取得手段と、光ディスクに付された識別情報を含む画像を撮像する撮像手段と、検査手段によって得られた検査結果データに対して、撮像手段によって撮像された画像データを対応付けて格納する格納手段と、検査結果データに対する閲覧要求がなされた場合には、検査結果データに対応付けされた画像データを格納手段から取得して呈示する呈示手段と、を有する。
【００１１】
このため、本発明によれば、多数の光ディスクを検査する場合において、検査結果の情報と、当該検査結果に対応する光ディスクとを簡易に対応付けすることが可能な光ディスク検査システムを提供することができる。
【００１２】
また、他の発明の光ディスク検査システムは、呈示手段が、検査結果データを一覧表示するとともに、所定の検査結果データが指定された場合には、当該検査結果に対応する画像データを呈示する。このため、複数の光ディスクを検査した場合でも所望の検査結果を迅速に得ることができる。
【００１３】
また、他の発明の光ディスク検査システムは、取得手段によって取得された検査結果が正常であるか否かを判定する判定手段をさらに有し、格納手段は、判定手段による判定の結果、正常であると判定された検査結果データに対応する画像データについては格納しない。このため、格納手段に確保する領域を削減することができる。
【００１４】
また、他の発明の光ディスク検査システムは、取得手段によって取得された検査結果が正常であるか否かを判定する判定手段をさらに有し、撮像手段は、判定手段による判定の結果、正常であると判定された光ディスクについては撮像しない。このため、撮像する手間を省略することにより、検査時間を短縮することができるとともに、格納手段に確保する領域を削減できる。
【００１５】
また、他の発明の光ディスク検査システムは、検査手段によって検査が終了した光ディスクを収納する収納手段をさらに有し、収納手段は、検査手段によって正常でないと判定された光ディスクについては、それ以外の光ディスクとは分けて収納する。このため、異常と判定された光ディスクを簡易に知ることができる。
【００１６】
また、本発明の光ディスク検査方法は、光ディスクを検査して検査結果を記録する光ディスク検査方法において、光ディスクを検査し、得られた検査結果データを取得し、光ディスクに付された識別情報を含む画像を撮像し、検査結果データに対して、撮像された画像データを対応付けて格納し、検査結果データに対する閲覧要求がなされた場合には、検査結果データに対応付けされた画像データを取得して呈示するようにしている。
【００１７】
このため、本発明によれば、多数の光ディスクを検査する場合において、検査結果の情報と、当該検査結果に対応する光ディスクとを簡易に対応付けすることが可能な光ディスク検査方法を提供することができる。
【発明を実施するための最良の形態】
【００１８】
以下、本発明の一実施の形態について、図面を参照して説明する。
【００１９】
図１は、本発明の実施の形態に係る光ディスク検査システムの構成例を示す図である。なお、本発明に係る光ディスク検査方法については、光ディスク検査システムの動作として説明する。図１に示すように、本発明の実施の形態に係る光ディスク検査システムは、サーバ装置１０、ネットワーク２０、パーソナルコンピュータ３０、撮像装置４０、光ディスク検査装置５０、光ディスク搬送装置６０、検査前光ディスクストッカ７１、収納手段の一部としての正常光ディスクストッカ７２、および、収納手段の一部としての異常光ディスクストッカ７３を主要な構成要素としている。なお、パーソナルコンピュータ３０、撮像装置４０、光ディスク検査装置５０、光ディスク搬送装置６０、検査前光ディスクストッカ７１、正常光ディスクストッカ７２、および、異常光ディスクストッカ７３によって、検査ユニット８０を構成しており、図１では、検査ユニット８０は１つしか示していないが、実際には複数の検査ユニット８０がネットワーク２０に接続されて構成されて光ディスク検査システムを構成している。なお、単一の検査ユニットだけで構成することが可能であることはいうまでもない。
【００２０】
ここで、呈示手段としてのサーバ装置１０は、個々の検査ユニット８０において検出された検査結果のデータを一括して管理する。なお、サーバ装置１０の構成は、パーソナルコンピュータ３０の構成と略同一であるので、図２に示すパーソナルコンピュータ３０の構成と併せて後述する。
【００２１】
ネットワーク２０は、例えば、ＬＡＮ（Local Area Network）等によって構成され、検査ユニット８０と、サーバ装置１０との間で情報の授受を行う。
【００２２】
パーソナルコンピュータ３０は、撮像装置４０、光ディスク検査装置５０、および、光ディスク搬送装置６０を制御するとともに、光ディスク検査装置５０によって得られた検査結果のデータ（以下、「検査結果データ」と称する）に対して、撮像装置４０によって撮像された光ディスクの画像データを対応付けし、画像付き検査結果データとしてサーバ装置１０に送信する。
【００２３】
図２は、図１に示すパーソナルコンピュータ３０の構成例を示す図である。この図に示すように、パーソナルコンピュータ３０は、ＣＰＵ（Central Processing Unit）３１、ＲＯＭ（Read Only Memory）３２、ＲＡＭ（Random Access Memory）３３、ＨＤＤ（Hard Disk Drive）３４、ＧＤ（Graphic Driver）３５、Ｉ／Ｆ（Interface）３６、バス３７、表示装置３８、および、入力装置３９を主要な構成要素としている。
【００２４】
ここで、ＣＰＵ３１は、ＲＯＭ３２に格納されているプログラムまたはＨＤＤ３４に格納されているプログラム３４ａもしくはＯＳ３４ｂに基づいてパーソナルコンピュータ３０の各部を制御するとともに、Ｉ／Ｆ３６を介して撮像装置４０、光ディスク検査装置５０、および、光ディスク搬送装置６０を制御する。
【００２５】
ＲＯＭ３２は、ＣＰＵ３１が実行する基本的なプログラムまたはデータを格納する半導体記憶装置である。ＲＡＭ３３は、ＣＰＵ３０が実行するプログラムまたはデータを一時的に格納する半導体記憶装置である。
【００２６】
ＨＤＤ３４は、図示せぬハードディスクにデータを磁気的に読み書きすることができる装置である。ＨＤＤ３４には、後述する処理を実現するためのプログラム３４ａと、パーソナルコンピュータ３０を制御する基本的なプログラムとしてのＯＳ（Operating System）３４ｂとを記憶しており、ＣＰＵ３１はこれらに基づいて各種の演算処理を実行する。
【００２７】
ＧＤ３５は、ＣＰＵ３１から供給された描画命令に従って描画処理を実行し、得られた画像データを映像信号（例えば、ＲＧＢ信号）に変換して表示装置３８に供給し、表示させる。
【００２８】
Ｉ／Ｆ３６は、入力装置３９、撮像装置４０、光ディスク検査装置５０、および、光ディスク搬送装置６０との間で情報を授受する際に、情報の表現形式を適宜変換する装置である。
【００２９】
バス３７は、ＣＰＵ３１、ＲＯＭ３２、ＲＡＭ３３、ＨＤＤ３４、ＧＤ３５、および、Ｉ／Ｆ３６を相互に接続してこれらの間で情報の授受を可能するための信号線群である。
【００３０】
表示装置３８は、例えば、ＣＲＴ（Cathode Ray Tube）モニタ等によって構成され、ＧＤ３５から供給された映像信号を表示する。
【００３１】
入力装置３９は、キーボードおよび／またはマウスによって構成され、管理者の操作に応じた情報を生成して出力する。
【００３２】
図３は、図２に示すプログラム３４ａがＨＤＤ３４から読み出されてＯＳ３４ｂの下で実行された場合において、パーソナルコンピュータ３０のハードウエア資源と、プログラム３４ａとしてのソフトウエア資源とが協働することによって実現される機能ブロックの一例である。この例では、機能ブロックとしては、光ディスク搬送装置制御部３０ａ、光ディスク検査装置制御部３０ｂ、レコード作成部３０ｃ、通信部３０ｄ、撮像装置制御部３０ｅ、合成部３０ｆ、格納部３０ｇ、および、画像データ加工部３０ｈを有している。
【００３３】
ここで、光ディスク搬送装置制御部３０ａは、光ディスク搬送装置６０を制御し、検査前光ディスクストッカ７１から光ディスクを取得するとともに、検査済の光ディスクを検査結果に応じて正常光ディスクストッカ７２または異常光ディスクストッカ７３に分けて格納する。
【００３４】
取得手段としての光ディスク検査装置制御部３０ｂは、光ディスク検査装置５０を制御して、光ディスクの検査を実行するとともに、検査結果データを取得してレコード作成部３０ｃに供給する。
【００３５】
レコード作成部３０ｃは、光ディスク検査装置制御部３０ｂから供給された検査結果データに基づいて検査結果データの記録単位であるレコードを作成し、合成部３０ｆに供給する。
【００３６】
通信部３０ｄは、サーバ装置１０との間で情報を通信する処理を実行する。通信部３０ｄは、格納部３０ｇに格納されている画像付き検査結果データをネットワーク２０を介してサーバ装置１０に送信する。
【００３７】
撮像装置制御部３０ｅは、撮像装置４０を制御し、光ディスクのシリアル番号が印字されている領域を撮像して画像データを取得し、画像データ加工部３０ｈに供給する。
【００３８】
合成部３０ｆは、レコード作成部３０ｃから供給された検査結果データに対して、画像データ加工部３０ｈから供給された画像データを合成して画像データ付き検査結果データを生成し、格納部３０ｇに供給する。
【００３９】
格納部３０ｇは、合成部３０ｆから供給された画像付き検査結果データを格納する。
【００４０】
画像データ加工部３０ｈは、撮像装置制御部３０ｅから供給された画像データから必要な領域を切り出す処理、解像度を変更する処理、および、サムネイル画像を生成する処理等を実行し、得られた画像データを合成部３０ｆに供給する。
【００４１】
図１に戻る。撮像手段としての撮像装置４０は、例えば、ＣＣＤ（Charge Coupled Device）カメラ等によって構成され、光ディスク検査装置５０によって検査の対象となる光ディスクに記録されたシリアル番号を撮像し、得られた画像データをパーソナルコンピュータ３０に供給する。
【００４２】
光ディスク検査装置５０は、光ディスクの、例えば、物理的または電気的な特性に関する検査を実行し、得られた検査結果データをパーソナルコンピュータ３０に供給する。
【００４３】
光ディスク搬送装置６０は、検査前光ディスクストッカ７１に格納されている検査前の光ディスクを１枚取り出して光ディスク検査装置５０に装着する。そして、検査が終了すると、正常な光ディスクについては、正常光ディスクストッカ７２に格納し、異常な光ディスクについては異常光ディスクストッカ７３に格納する。
【００４４】
図４は、図１に示す撮像装置４０、光ディスク検査装置５０、光ディスク搬送装置６０、検査前光ディスクストッカ７１、正常光ディスクストッカ７２、および、異常光ディスクストッカ７３の詳細な構成例を示す斜視図である。この例では、光ディスク検査装置５０は、２つのドライブ５１，５２を有する装置として構成されている。また、光ディスク搬送装置６０は、アーム部６１および本体部６２を有する装置として構成されている。アーム部６１の一部には光ディスクを保持するための保持部６３が形成されており、保持部６３によって光ディスクを保持し、搬送する。また、アーム部６１の保持部６３の近傍には、光ディスクのシリアル番号を撮像するための撮像装置４０（不図示）が設けられている。また、光ディスク検査装置５０の筐体の前部には、検査前光ディスクストッカ７１が設けられており、検査前の光ディスクを格納する。光ディスク検査装置５０の筐体の上部には、正常な光ディスクが格納される正常光ディスクストッカ７２と、異常の光ディスクが格納される異常光ディスクストッカ７３とが設けられている。なお、これらの位置関係は、図示するもの以外でもよい。
【００４５】
図５は、図１に示す光ディスク検査装置５０の詳細な構成例を示す図である。この図に示すように、光ディスク検査装置５０は、スピンドルモータ５０ａ、光ピックアップ部５０ｂ、変復調回路５０ｃ、ディジタル信号処理回路５０ｄ、制御回路５０ｅ、ＲＯＭ５０ｆ、検査回路５０ｇ、ＣＰＵ５０ｈ、ＲＡＭ５０ｉ、および、Ｉ／Ｆ５０ｋを主要な構成要素としている。
【００４６】
ここで、スピンドルモータ５０ａは、例えば、ＤＶＤ等の光ディスク１の中心軸に回転力を与えてこれを回転駆動する。
【００４７】
光ピックアップ部５０ｂは、レーザ光源、レーザ光源から照射されたレーザ光を光ディスク１に合焦させる光学部、光ディスク１から反射された光を電気信号に変換する検出部、および、フォーカシングとトラッキングを行うためのアクチュエータを主要な構成要素としている。
【００４８】
変復調回路５０ｃは、光ピックアップ部５０ｂによって光ディスク１のデータ領域（画像、動画、音声等の情報が記録された領域）から読み出された信号（高周波信号）を、２値化する復調処理を実行するとともに、ディジタル信号処理回路５０ｄから供給される２値化信号を高周波信号に変換する変調処理を実行する。
【００４９】
ディジタル信号処理回路５０ｄは、変復調回路５０ｃから供給された２値化信号（ディジタル信号）に対して、エラー訂正処理等の各種の演算処理を施す。また、ＣＰＵ５０ｈから供給されたディジタル信号に対して所定の処理を施して、変復調回路５０ｃに供給する。
【００５０】
制御回路５０ｅは、ＣＰＵ５０ｈからの制御指令に基づいて、スピンドルモータ５０ａおよび光ピックアップ部５０ｂ等を制御するサーボ機構である。
【００５１】
ＲＯＭ５０ｆは、ＣＰＵ５０ｈが実行する各種プログラムおよびデータを格納している半導体記憶装置である。検査手段としての検査回路５０ｇは、光ディスク１に対する各種の検査を実行するための回路である。検査項目としては、例えば、ＰＩエラーの発生率、ＰＯエラーの発生率、ジッタ、および、変調率（Ｉ１４／Ｉ１４Ｈ）がある。検査回路５０ｇは、得られた検査結果を検査結果データとして出力する。
【００５２】
ＣＰＵ５０ｈは、ＲＯＭ５０ｆに格納されているプログラムおよびデータに基づいて装置の各部を制御するとともに、各種演算処理を実行する。ＲＡＭ５０ｉは、ＣＰＵ５０ｈが実行する対象となるプログラムまたはデータを一時的に格納する半導体装置である。
【００５３】
バス５０ｊは、ディジタル信号処理回路５０ｄ、制御回路５０ｅ、ＲＯＭ５０ｆ、検査回路５０ｇ、ＣＰＵ５０ｈ、ＲＡＭ５０ｉ、Ｉ／Ｆ５０ｋを相互に接続し、これらの間で情報の授受を可能とするための信号線群である。
【００５４】
Ｉ／Ｆ５０ｋは、パーソナルコンピュータ３０との間で情報を授受する際に、データの表現形式を適宜変換する変換回路である。
【００５５】
つぎに、図１に示す光ディスク検査システムの動作について説明する。
【００５６】
図６は、図１に示す光ディスク検査システムの動作を説明するためのフローチャートである。このフローチャートの処理は、各検査ユニット８０のパーソナルコンピュータ３０において実行される処理である。このフローチャートが開始されると、以下のステップが実行される。
【００５７】
ステップＳ１０：光ディスク搬送装置制御部３０ａは、光ディスク搬送装置６０に対して制御指令を送り、検査前光ディスクストッカ７１に格納されている検査前の光ディスク１を１枚取得し、光ディスク検査装置５０のドライブ５１またはドライブ５２に装着させるように依頼する。その結果、光ディスク搬送装置６０はアーム部６１を検査前光ディスクストッカ７１の上部まで移動させる。そして、保持部６３によって検査前光ディスクストッカ７１に格納されている光ディスク１を１枚取得する。続いて、光ディスク搬送装置６０は、取得した光ディスク１を光ディスク検査装置５０のドライブ５１またはドライブ５２のいずれか（例えば、空いている方）の図示せぬトレイに装着させる。
【００５８】
ステップＳ１１：撮像装置制御部３０ｅは、撮像装置４０を制御し、光ディスク１に印字されているシリアル番号を含む領域を撮像させる。ここで、図７に示すように、光ディスク１がクランプされるクランプ領域１ａには、図７（Ａ）において示す領域１ｂを図７（Ｂ）に示すように拡大した場合に、複数の数字およびアルファベット等から構成される識別情報としてのシリアル番号１ｃが印字されている。このシリアル番号１ｃは、光ディスク１が製造されたときに付与されたユニークな識別子であり、同一のシリアル番号は存在しないように設定されている。
【００５９】
ステップＳ１１の処理では、光ディスク搬送装置制御部３０ａによって光ディスク搬送装置６０のアーム部６１が駆動され、アーム部６１に設けられている撮像装置４０が光ディスク１のクランプ領域１ａの近傍まで移動される。そして、撮像装置制御部３０ｅが撮像装置４０を制御して、クランプ領域１ａに印字されているシリアル番号を含む領域を撮像する。
【００６０】
ステップＳ１２：撮像装置制御部３０ｅは、撮像装置４０から撮像された画像データを取得する。なお、画像データは、例えば、ＪＰＥＧ（Joint Photographic Experts Group）方式によって圧縮されている。撮像装置制御部３０ｅは取得したＪＰＥＧ画像データを画像データ加工部３０ｈに供給する。
【００６１】
ステップＳ１３：画像データ加工部３０ｈは、撮像装置制御部３０ｅから供給された画像データを加工する処理を実行する。具体的には、画像データ加工部３０ｈは、撮像された画像データからシリアル番号が含まれている領域を切り出すとともに、画像データの解像度変換処理を施し、画像データの容量を削減する処理を実行する。また、画像データ加工部３０ｈは、当該画像のサムネイル画像を生成する処理を実行する。
【００６２】
ステップＳ１４：光ディスク検査装置制御部３０ｂは、光ディスク検査装置５０に対して、光ディスク１の検査を開始するように要求する。その結果、光ディスク検査装置５０では、光ディスク１がスピンドルモータ５０ａによって回転駆動され、光ピックアップ部５０ｂによって光ディスク１に記録されている情報が読み出され、変復調回路５０ｃ、および、ディジタル信号処理回路５０ｄを介して、検査回路５０ｇに供給され、そこで、ＰＩエラーの発生率、ＰＯエラーの発生率、ジッタ、および、変調率（Ｉ１４／Ｉ１４Ｈ）等に関する検査が実行される。なお、検査結果のデータは、ＲＡＭ５０ｉに格納される。なお、光ディスク検査装置５０のＣＰＵ５０ｈは、検査結果データを構成する個々の値に対して、閾値を適用し、検査した光ディスク１が正常であるか否かを判定し、判定結果データとして検査結果データに付加する。
【００６３】
ステップＳ１５：光ディスク検査装置制御部３０ｂは、全ての検査項目が終了したか否かを判定し、全て終了したと判定した場合にはステップＳ１６に進み、それ以外の場合には同様の処理を繰り返す。
【００６４】
ステップＳ１６：光ディスク検査装置制御部３０ｂは、光ディスク検査装置５０から検査結果データを取得する。すなわち、光ディスク検査装置制御部３０ｂは、光ディスク検査装置５０に対して検査結果データの転送要求を行う。その結果、ＲＡＭ５０ｉに格納されている検査結果データがＩ／Ｆ５０ｋを介してパーソナルコンピュータ３０に転送される。
【００６５】
ステップＳ１７：レコード作成部３０ｃは、光ディスク検査装置制御部３０ｂから供給された検査結果データに基づいて、情報の記録単位であるレコードを作成する処理を実行する。なお、レコードの詳細については後述する。
【００６６】
ステップＳ１８：合成部３０ｆは、画像データ加工部３０ｈから供給された画像データと、レコード作成部３０ｃから供給されたレコードとを合成する。より具体的には、例えば、レコード作成部３０ｃから供給されたレコードに対して、画像データ加工部３０ｈから供給された画像データのうち、サムネイル画像をレコードに対して付加するとともに、当該サムネイル画像に対する画像データ（サムネイル画像よりもサイズが大きい画像データ）に対する関連付けを行う。
【００６７】
ステップＳ１９：合成部３０ｆは、合成が完了したレコードのデータおよび対応する画像データを格納部３０ｇの所定の領域に格納する。
【００６８】
ステップＳ２０：光ディスク搬送装置制御部３０ａは、検査の終了した光ディスク１を、検査結果に応じたストッカに格納する。より詳細には、光ディスク検査装置制御部３０ｂは、光ディスク検査装置５０に対して検査が終了した光ディスク１が格納されているドライブ（ドライブ５１またはドライブ５２）のトレイを排出させる。そして、光ディスク搬送装置制御部３０ａは、ステップＳ１６において取得された検査結果データに含まれている判定結果データを参照し、検査した光ディスク１が正常である場合には、正常光ディスクストッカ７２に格納させ、異常である場合には、異常光ディスクストッカ７３に格納させる。
【００６９】
ステップＳ２１：光ディスク検査装置制御部３０ｂは、検査前光ディスクストッカ７１に格納されている全ての光ディスク１の検査が終了したか否かを判定し、終了していない場合にはステップＳ１０に戻って同様の処理を繰り返し、それ以外の場合には処理を終了する。
【００７０】
以上の処理により、検査前光ディスクストッカ７１に格納されている光ディスク１に対する検査処理が実行されるとともに、検査結果データと光ディスク１のシリアル番号が撮像された画像とが関連付け（合成）されて、画像付き検査結果データとして格納部３０ｇに格納される。
【００７１】
なお、以上のようにして得られた検査結果データおよび画像データは、通信部３０ｄおよびネットワーク２０を介して定期的にサーバ装置１０に送信される。サーバ装置１０では、各検査ユニット８０から送信された画像付き検査結果データが、例えば、検査ユニット単位で格納される。
【００７２】
以上のようにしてサーバ装置１０に格納された画像付き検査結果データについては、図示せぬ表示装置に対して一覧表示させることにより、その内容を確認することができる。
【００７３】
図８は、サーバ装置１０の表示装置に表示される情報の一例を示す図である。この図の例では、枠１００が表示されており、枠１００内には、レコードの一覧表１０１が表示されている。一覧表１０１を構成する各レコードの右端には、サムネイル画像１０２が表示されている。枠１００内の最下部には、絞り込みキーワードが入力されるテキストボックス１０３と絞り込みを実行するボタン１０４が表示されている。
【００７４】
一覧表１０１には、レコードの内容を示す情報が表示されている。すなわち、右側からシリアルＮｏ．、検査日時、ロット番号、検査種類、判定結果、画像である。ここで、シリアルＮｏ．は、例えば、検査が実行される度に生成される（例えば、１ずつインクリメントされて生成される）ユニークな識別子である。検査日時は、検査が実行された日時を示す情報である。ロット番号は、光ディスク１が製造されたロットを示す情報である。なお、ロット番号は、例えば、管理者がマニュアル操作によって入力する。より具体的には、１つのロット番号には多数（例えば、数百枚から数千枚）の光ディスクが属するので、所定のロット番号に属する全ての光ディスクの検査が終了するにはある程度の時間が必要である。したがって、ロット番号を１度入力すると、そのロット番号を継続して使用することができるので、管理者の負担は増加しない。なお、各検査ユニット単位で、ロットを割り当てるようにしてもよい。
【００７５】
検査種類は、実行された検査項目を示す情報である。この例では、ＰＩエラー、変調率、および、ジッタが検査項目として示されている。判定結果は、検査の結果、光ディスクが正常（Ｇ）であるかまたは異常（ＮＧ）であるかを示す情報である。また、画像は各光ディスク１のシリアル番号が印字された領域を撮影された画像データのサムネイル画像である。なお、当該サムネイル画像には、もとの画像データがリンクされており、当該サムネイル画像を指定（例えば、入力装置としてのマウスによって指定してクリック）することにより、もとの画像データが表示される。
【００７６】
このような画面において、判定結果がＮＧであるサムネイル画像を指定すると、異常であると判定された光ディスク１のシリアル番号を知ることができる。図９は、図８に示すサムネイル画像を指定した場合に表示装置に表示される情報の一例を示している。この例では、枠２００が表示され、その内部にはシリアル番号１ｃが印字された光ディスクの画像が表示されている。このような画像を参照することにより、異常であると判定された光ディスク１のシリアル番号を知ることができるので、当該シリアル番号を参照することで、検査結果データと光ディスク１とを対応付けすることができる。
【００７７】
なお、図８の例では、検査種類については表示しているが、それぞれの検査結果の内容についは表示していない。しかし、例えば、検査の種類を表示するとともに、それぞれの項目について指定された場合には、該当する検査結果のデータが取得されて表示装置に表示されるようにしてもよい。例えば、図８においてＮＧのレコードの文字列「ＰＩエラー」が指定された場合には、ＰＩエラーに関する検査結果のデータが表示装置に表示されるようにしてもよい。
【００７８】
以上の実施の形態によれば、光ディスク１のシリアル番号を含む領域を撮像装置４０によって撮像し、検査結果データと対応付けするようにしたので、当該画像に含まれているシリアル番号を参照することにより、検査結果データと光ディスク１とを関連付けすることができる。その結果、管理者がマニュアル操作で、シリアル番号を入力する必要がなくなるので、管理者の負担を軽減することができる。
【００７９】
また、以上の実施の形態では、図８に示すように一覧表示した際には、サムネイル画像として表示し、当該サムネイル画像が指定された場合には、もとの大きなサイズの画像データを表示するようにしたので、一覧表１０１の表示サイズをコンパクトにすることができるので、管理者の視認性を向上させることができる。
【００８０】
また、以上の実施の形態では、複数の検査ユニットをネットワーク２０を介して相互接続し、サーバ装置１０によってこれらの検査ユニットを統合管理することにより、複数の光ディスク１を迅速に検査することができる。
【００８１】
また、以上の実施の形態では、ロット単位で検査結果を管理するようにしたので、不良品の発生率が高いロットを発見することができるとともに、不良率が高いロットについては、該当する光ディスク１を特定して、その再検査等を行うことで、不良が発生する原因等についても迅速に発見することが可能になる。
【００８２】
また、以上の実施の形態では、撮像装置４０によって撮像された画像データを用いるようにしたので、例えば、シリアル番号として、例えば、手書き文字のような精度の低い文字を使用することも可能となるので、活用範囲を広げることができる。
【００８３】
なお、以上の実施の形態は、一例であって、これ以外にも種々の変形実施態様が存在する。例えば、図１に示す実施の形態では、パーソナルコンピュータ３０、光ディスク検査装置５０、および、光ディスク搬送装置６０をそれぞれ独立した構成としたが、これらの一部または全てをまとめて１つの構成とするようにしてもよい。
【００８４】
また、以上の実施の形態では、撮像装置４０を光ディスク搬送装置６０のアーム部６１に設けるようにしたが、例えば、これとは独立な構成として、ドライブ５１またはドライブ５２の周辺に固定的に設けるようにしてもよい。
【００８５】
また、以上の実施の形態では、光ディスク搬送装置６０としては、アーム部６１を有する構成としたが、これ以外の構成（例えば、ベルトコンベアを有する構成）としてもよい。
【００８６】
また、以上の実施の形態では、光ディスク検査装置５０には、２つのドライブ５１，５２を設けるようにしたが、１つまたは３つ以上としてもよい。
【００８７】
また、以上の実施の形態では、画像データを撮像した後に、検査を実行するようにしたが、検査を実行した後に、画像データを撮像するようにしてもよい。その場合、例えば、正常であると判定された検査結果データについては、画像データを格納しないようにしてもよい。そのような実施の形態によれば、画像データの格納量を削減することにより、必要な記憶領域を削減できる。
【００８８】
また、格納しないのではなく、例えば、正常と判定された光ディスク１については撮像を行わないようにしてもよい。そのような実施の形態によれば、正常な光ディスク１については、画像を撮像する必要がなくなるので、検査速度を向上させることが可能になるとともに、サーバ装置１０に格納される転送および格納される情報量を削減することが可能になる。
【産業上の利用可能性】
【００８９】
本発明は、ＤＶＤ等の光ディスクを検査する光ディスク検査システムに利用することができる。
【図面の簡単な説明】
【００９０】
【図１】本発明の実施の形態の構成例を示す図である。
【図２】図１に示すパーソナルコンピュータの詳細な構成例である。
【図３】図２に示すプログラムとハードウエアとが協働することにより実現される機能ブロックの一例を示す図である。
【図４】図１に示す撮像装置、光ディスク検査装置、および、光ディスク搬送装置の構成例を示す斜視図である。
【図５】図１に示す光ディスク検査装置の構成例を示す図である。
【図６】図２に示すパーソナルコンピュータにおいて実行される処理の一例を示すフローチャートである。
【図７】光ディスクに印字されたシリアル番号の一例を示す図であり、（Ａ）は光ディスク全体を示す図であり、（Ｂ）は光ディスクのシリアル番号が印字された部分を拡大して示す図である。
【図８】図１に示す実施の形態において取得された検査結果データをサーバ装置の表示装置に表示した場合の表示例である。
【図９】図８に示すサムネイル画像を指定した場合に表示される情報の一例である。
【符号の説明】
【００９１】
１  光ディスク、１０  サーバ装置（呈示手段）、２０  ネットワーク、３０  パーソナルコンピュータ、３０ｂ  光ディスク検査装置制御部（取得手段）、４０  撮像装置（撮像手段）、５０  光ディスク検査装置、５０ｇ  検査回路（検査手段）、５０ｈ  ＣＰＵ（判定手段）、６０  光ディスク搬送装置、７２  正常光ディスクストッカ（収納手段の一部）、７３  異常光ディスクストッカ（収納手段の一部）
【図１】
2007280476.tif 000003
【図２】
2007280476.tif 000004
【図３】
2007280476.tif 000005
【図４】
2007280476.tif 000006
【図５】
2007280476.tif 000007
【図６】
2007280476.tif 000008
【図７】
2007280476.tif 000009
【図８】
2007280476.tif 000010
【図９】
2007280476.tif 000011